(57)【要約】【課題】  フロントパネルの領域が狭い場合にもユニットＩＤランプを実装する。【解決手段】    主基板を収容した筐体１において、フロントドア部８０は、フロントパネル２に対して開いた位置と、閉じた位置とに回転自在に取り付けられている。障害検出部１２により、情報処理装置１００に障害が発生していないことが確認されると、開閉検出部１１がフロントドア部８０を開いた状態であると確認された場合にはランプ制御部１３はランプ部７０を点灯させる。障害検出部１２により、情報処理装置１００に障害が発生していると判断されれば、開閉検出部１１の検出の如何に関わらず、ランプ制御部１３はランプ部７０を点灯させる。【選択図】  図１
2006268460.tif 000002
【特許請求の範囲】
【請求項１】
主基板を収容した筐体と、
前記筐体の前面に対して閉じた位置である第１の位置と、前記筐体に対して開いた位置である第２の位置との間で回転自在に取り付けられたフロントドアと、
前記筐体の前面に設けられ、前記フロントドアが第１の位置にある場合であっても少なくともその一部が露出するランプと、
を有した情報処理装置であって、
前記情報処理装置は、
前記フロントドアの開閉を検出する開閉検出手段と、
自装置の障害を検出する障害検出手段と、
前記障害検出手段により障害が検出されていない場合には、前記開閉検出手段により前記フロントドアが第１の位置にあることを検出した際に前記ランプを消灯させ、かつ前記フロントドアが第２の位置にあることを検出した際に前記ランプを点灯させる第１のランプ制御手段と、
前記障害検出手段により障害が検出された場合には、前記開閉検出手段の検出結果に関わらず前記ランプを点灯させ、かつ前記障害検出手段により障害が検出されなくなった場合には、前記開閉検出手段により前記フロントドアが第１の位置にあることを検出した際に前記ランプを消灯させる第２のランプ制御手段と、
を有することを特長とする情報処理装置。
【請求項２】
前記ランプは、前記筐体の背面にも設けられていることを特徴とする請求項１に記載の情報処理装置。
【請求項３】
前記第１及び第２のランプ制御手段において前記障害検出手段により障害が検出された場合における前記ランプの点灯は、点滅して点灯させることを特徴とする請求項１又は２に記載の情報処理装置。
【請求項４】
前記第１及び第２のランプ制御手段において前記障害検出手段により障害が検出された場合における前記ランプの点灯は、前記障害検出手段により障害が検出されていない場合と異なる色を点灯させることを特徴とする請求項１又は２に記載の情報処理装置。
【請求項５】
主基板を収容した筐体と、
前記筐体の前面に対して閉じた位置である第１の位置と、前記筐体に対して開いた位置である第２の位置との間で回転自在に取り付けられたフロントドアと、
前記筐体の前面に設けられ、前記フロントドアが第１の位置にある場合であっても少なくともその一部が露出するランプと、
を有した情報処理装置の制御方法であって、
前記情報処理装置の制御方法は、
前記フロントドアの開閉を検出する開閉検出ステップと、
自装置の障害を検出する障害検出ステップと、
前記障害検出ステップにより障害が検出されていない場合には、前記開閉検出ステップにより前記フロントドアが第１の位置にあることを検出した際に前記ランプを消灯させ、かつ前記フロントドアが第２の位置にあることを検出した際に前記ランプを点灯させる第１のランプ制御ステップと、
前記障害検出ステップにより障害が検出された場合には、前記開閉検出ステップの検出結果に関わらず前記ランプを点灯させ、かつ前記障害検出ステップにより障害が検出されなくなった場合には、前記開閉検出ステップにより前記フロントドアが第１の位置にあることを検出した際に前記ランプを消灯させる第２のランプ制御ステップと、
を有することを特長とする情報処理装置の制御方法。
【請求項６】
前記ランプは、前記筐体の背面にも設けられていることを特徴とする請求項５に記載の情報処理装置の制御方法。
【請求項７】
前記第１及び第２のランプ制御ステップにおいて前記障害検出ステップにより障害が検出された場合における前記ランプの点灯は、点滅して点灯させることを特徴とする請求項５又は６に記載の情報処理装置の制御方法。
【請求項８】
前記第１及び第２のランプ制御ステップにおいて前記障害検出ステップにより障害が検出された場合における前記ランプの点灯は、前記障害検出ステップにより障害が検出されていない場合と異なる色を点灯させることを特徴とする請求項５又は６に記載の情報処理装置の制御方法。
【発明の詳細な説明】
【技術分野】
【０００１】
本発明は、情報処理装置及びその制御方法に係り、特に情報処理装置が有するユニットＩＤランプを制御する機能を有する情報処理装置及びその制御方法に関する。
【背景技術】
【０００２】
ラックマウントタイプのサーバは、例えばマイクロプロセッサ、ＣＤ−ＲＯＭドライブ、電源ユニットおよび複数のハードディスクドライブ等の各種の機能部品をユニット化したサーバ本体と、このサーバ本体の記憶容量を増やす際に用いる増設ユニットとを備えている。サーバ本体および増設ユニットは、夫々その外郭となる箱状のハウジング（筐体）を有し、このハウジングがキャビネットラックと称する架台に取り外し可能に支持されている。このように、多種多様な電子機器をラックに搭載することにより、省スペース化が図られる。
【０００３】
ところで、上記ラックには、同じ機能を有する装置が複数搭載され、それぞれの装置が異なるサーバに接続される場合もあるし、１つの装置が複数のサーバに接続されて、複数のサーバが１つの装置を共用する場合もある。
【０００４】
このようなラックにおいて、サーバに記憶されているデータをバックアップする場合、あるいは、無停電電源装置のバッテリを交換する場合、保守点検をする場合等の際に対象とする装置と他の装置とを識別する必要がある。
【０００５】
特許文献１には、ＲＡＩＤ（Ｒｅｄｕｎｄａｎｔ  Ａｒｒａｙｓ  ｏｆ  Ｉｎｅｘｐｅｎｓｉｖｅ  Ｄｉｓｋｓ）のシステムにおいて、各ディスク装置に対応するＬＥＤ（Ｌｉｇｈｔ  Ｅｍｉｔｔｉｎｇ  Ｄｉｏｄｅ）を点灯制御することにより、ディスク装置、ディスク筐体の番号等を特定できるようにしたものがある。
【特許文献１】特開平０９−３３０１８４号公報（第７頁乃至第９頁、図２）
【発明の開示】
【発明が解決しようとする課題】
【０００６】
上述した技術をサーバ本体に応用して機器を識別するランプ（ユニットＩＤランプ）として活用する技術も普及している。そして、通常このようなユニットＩＤランプは筐体の前面のフロントパネル部や背面に設けられることが多い。
【０００７】
しかし、サーバ等の情報処理装置においては、上記のようなユニットＩＤランプだけでなく、このランプを点灯させる為の専用スイッチ、更には障害を通知する為の障害発生ランプやその専用スイッチ等、数多くの機能を設ける必要がある。
【０００８】
一方で、近年の高密度実装を施したサーバではその筐体の大きさも小さくなり、これに伴いフロントパネル部分の領域も狭くなっている。
【０００９】
従って、上述したフロントパネルにおいてユニットＩＤランプの他に、このランプを点灯させる為の専用スイッチを設ける領域も実装上困難になってきている。
【００１０】
そこで、本発明はこのような問題点に鑑みてなされたもので、ラックマウントタイプに複数設置されるような装置の中から対象とする装置を識別することが可能なユニットＩＤランプを有した情報処理装置において、フロントパネルの領域が狭い場合にもユニットＩＤランプを実装できる情報処理装置を提供することを目的とする。
【課題を解決するための手段】
【００１１】
上記目的を達成するために、本発明の情報処理装置は、主基板を収容した筐体と、前記筐体の前面に対して閉じた位置である第１の位置と、前記筐体に対して開いた位置である第２の位置との間で回転自在に取り付けられたフロントドアと、前記筐体の前面に設けられ、前記フロントドアが第１の位置にある場合であっても少なくともその一部が露出するランプとを有した情報処理装置であって、前記情報処理装置は、前記フロントドアの開閉を検出する開閉検出手段と、自装置の障害を検出する障害検出手段と、前記障害検出手段により障害が検出されていない場合には、前記開閉検出手段により前記フロントドアが第１の位置にあることを検出した際に前記ランプを消灯させ、かつ前記フロントドアが第２の位置にあることを検出した際に前記ランプを点灯させる第１のランプ制御手段と、前記障害検出手段により障害が検出された場合には、前記開閉検出手段の検出結果に関わらず前記ランプを点灯させ、かつ前記障害検出手段により障害が検出されなくなった場合には、前記開閉検出手段により前記フロントドアが第１の位置にあることを検出した際に前記ランプを消灯させる第２のランプ制御手段とを有することを特長としている。
【００１２】
また、本発明の情報処理装置の制御方法は、主基板を収容した筐体と、前記筐体の前面に対して閉じた位置である第１の位置と、前記筐体に対して開いた位置である第２の位置との間で回転自在に取り付けられたフロントドアと、前記筐体の前面に設けられ、前記フロントドアが第１の位置にある場合であっても少なくともその一部が露出するランプと、を有した情報処理装置の制御方法であって、前記情報処理装置の制御方法は、前記フロントドアの開閉を検出する開閉検出ステップと、自装置の障害を検出する障害検出ステップと、前記障害検出ステップにより障害が検出されていない場合には、前記開閉検出ステップにより前記フロントドアが第１の位置にあることを検出した際に前記ランプを消灯させ、かつ前記フロントドアが第２の位置にあることを検出した際に前記ランプを点灯させる第１のランプ制御ステップと、前記障害検出ステップにより障害が検出された場合には、前記開閉検出ステップの検出結果に関わらず前記ランプを点灯させ、かつ前記障害検出ステップにより障害が検出されなくなった場合には、前記開閉検出ステップにより前記フロントドアが第１の位置にあることを検出した際に前記ランプを消灯させる第２のランプ制御ステップとを有することを特長としている。
【発明の効果】
【００１３】
フロントパネルの領域が狭い場合にもユニットＩＤランプを実装できる。
【発明を実施するための最良の形態】
【００１４】
以下に、本発明による情報処理装置の実施の形態を図１〜図６を参照して説明する。図１は、本発明の実施の形態である情報処理装置のブロック図である。この情報処理装置１００は、ＯＳによりアプリケーションソフトが駆動する情報処理装置であり、運用管理部１０と、ネットワークインタフェース部２０と、制御部３０と、記憶部４０と、入力部５０と、出力部６０と、ランプ部７０と、フロントドア部８０とを主たる構成要素とする。
【００１５】
ここで運用管理部１０と、ネットワークインタフェース部２０と、制御部３０と、記憶部４０と、入力部５０と、出力部６０はバスＢ１で接続されており、運用管理部１０は、ネットワークインタフェース部２０と、ランプ部７０と、フロントドア部８０とに、それぞれバスＢ２、バスＢ３、バスＢ４で接続されている。ここで、バスＢ１は例えばＰＣＩ（Ｐｅｒｉｐｈｅｒａｌ  Ｃｏｍｐｏｎｅｎｔ  Ｉｎｔｅｒｃｏｎｎｅｃｔ）Ｂｕｓである。バスＢ２〜Ｂ４は例えばＳＭ（Ｓｙｓｔｅｍ  Ｍａｎａｇｅｍｅｎｔ）Ｂｕｓである。また、情報処理装置１００は例えばＰＣサーバである。
【００１６】
次に各構成要素を詳細に説明する。
【００１７】
運用管理部１０は、後述するフロントドア部８０の開閉を検出する開閉検出部１１と、情報処理装置１００自身に障害が発生しているかを検出する障害検出部１２と、後述するランプ部７０のランプの点灯・消灯を制御するランプ制御部１３から構成される。また、運用管理部１０は、開閉検出部１１、障害検出部１２、ランプ制御部１３を制御する制御部（不図示）と、記憶部（不図示）を有しいる。この制御部は記憶部に格納されている制御プログラムαの指示に従い、開閉検出部１１、障害検出部１２、ランプ制御部１３に命令を送出することで情報処理装置１００の運用管理を司る。運用管理部１０は、例えばＢＭＣ（Ｂａｓｅｂｏａｒｄ  Ｍａｎａｇｅｍｅｎｔ  Ｃｏｎｔｒｏｌｌｅｒ）である。
【００１８】
また、運用管理部１０とネットワークインタフェース部２０は、情報処理装置１００がスタンバイ状態、即ち情報処理装置１００の図示せぬＤＣ電源がＯＦＦの場合であっても、ＡＣ商用電源（不図示）がＯＮの場合であれば動作する。即ち、運用管理部１０とネットワークインタフェース部２０との間は情報処理装置１００がスタンバイ状態で動作するため、ＤＣ電源がＯＦＦであっても動作可能である。
【００１９】
従って、ランプ部７０及びフロントドア部８０はバスＢ１には接続されず、バスＢ３、バスＢ４によって運用管理部１０のみと接続されている為、ランプ部７０及びフロントドア部８０も情報処理装置１００のＤＣ電源がＯＦＦであっても、スタンバイ状態であれば動作可能となる。
【００２０】
ネットワークインタフェース部２０は、情報処理装置１００をインターネット等の外部のネットワーク網Ａへ接続する機能を果たす。尚、ネットワークインタフェース部２０とネットワーク網Ａとの接続は、ケーブル等の有線でも良いし、無線ＬＡＮ等の無線であっても良い。ネットワークインタフェース部２０は例えばＬＡＮコントローラである。
【００２１】
制御部３０は、記憶部４０に格納されたＯＳ（Ｏｐｅｒａｔｉｎｇ  Ｓｙｓｔｅｍ）βや、アプリケーションプログラム等に基づき情報処理装置１００の全体を制御する。制御部３０は、例えばＣＰＵ（Ｃｅｎｔｒａｌ  Ｐｒｏｃｅｓｓｉｎｇ  Ｕｎｉｔ）である。
【００２２】
記憶部４０は、情報を記憶する部分であり、上述したＯＳβの他、アプリケーションプログラム、その他の情報を記憶する。記憶部４０は例えば、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等である
入力部５０は、情報処理装置１００に対して命令を入力する部分である。入力部５０は例えば、キーボード、マウス等である。尚、入力部５０は必ずしも情報処理装置１００の要素として存在していなくても外部機器として情報処理装置１００と接続するような構成としても良い。
【００２３】
出力部６０は、情報処理装置１００の処理結果を出力する部分である。出力部６０は、例えば、ＣＲＴ（Ｃａｔｈｏｄｅ  Ｒａｙ  Ｔｕｂｅ）、ＬＣＤ（Ｌｉｑｕｉｄ  Ｃｒｙｓｔａｌ  Ｄｉｓｐｌａｙ）、スピーカ等である。尚、出力部６０も必ずしも情報処理装置１００の要素として存在していなくても外部機器として情報処理装置１００と接続するような構成としても良い。
【００２４】
ランプ部７０は、ランプ制御部１３の制御により点灯・消灯するランプであり、本発明においてはユニットＩＤランプ及び障害発生ランプとしての役割を担う。ランプ部７０は例えばＬＥＤ（Ｌｉｇｈｔ  Ｅｍｉｔｔｉｎｇ  Ｄｉｏｄｅ）である。
【００２５】
フロントドア部８０は、後述するフロントパネル（図３、図４参照）に対して開いた位置である第１の位置と、筐体１のフロントパネルに対して閉じた状態である第２の位置との間で回転自在に取り付けられているドア部であり、情報処理装置１００の筐体１におけるカバーの役目を果たす。このフロントドア部８０の開閉状態は開閉検出部１１で検出される。
【００２６】
次に、運用管理部１０におけるランプ部７０の制御方法を図２を用いて説明する。図２は、制御プログラムαの処理の流れを示したフローチャートである。尚、この図２に示したフローチャートの処理は、情報処理装置１００の図示せぬＡＣ商用電源がＯＮの状態即ち、スタンバイ状態であれば、ＤＣ電源（不図示）がＯＦＦの状態でもこの処理は行われる。
【００２７】
まず、運用管理部１０は、情報処理装置１００のシステム状態を監視する（ステップＳ１０）。即ち、運用管理部１０は障害検出部１２に情報処理装置１００のシステム状態を監視させる。この命令により障害検出部１２は、情報処理装置１００のシステム状態を監視することとなる。尚、障害検出部１２はシステムの監視を行った際に情報処理装置１００に障害を検出した場合にはその旨を所定の記憶領域に記憶する。
【００２８】
次に、運用管理部１０は、障害検出部１２の結果から情報処理装置１００に障害が発生しているか否かを判断する（ステップＳ２０）。即ち、運用管理部１０は上述した所定の記憶領域にシステム障害の発生記憶があれば情報処理装置１００に障害が発生していると判断することとなる。
【００２９】
その結果、運用管理部１０は、障害検出部１２の結果から情報処理装置１００に障害が発生していないと判断した場合には（ステップＳ２０のＮｏ）、次にドアの開閉の状態を検出する（ステップＳ３０）。即ち、運用管理部１０は開閉検出部１１にフロントドア部８０の開閉状態を検出させる。この命令により開閉検出部１１は、フロントドア部８０の開閉状態を検出することとなる。
【００３０】
ここで、ランプ部７０とフロントドア部８０との実装上の位置関係を図３及び図４を用いて説明しておくと、以下のようになる。
【００３１】
図３は、情報処理装置１００の一例の概観を示した図である。図３における情報処理装置１００は、略直方体の筐体１を有しており、この中には上述した運用管理部１０や制御部３０等の各要素を実装したプリント回路基板である主基板（不図示）が実装されている。
【００３２】
また、この情報処理装置１００の前面側には筐体１の前面であり、この前面の少なくとも一部を構成するフロントパネル２が設けられている。更にこの前面を覆うフロントドア部８０が設けられている。
【００３３】
図４は情報処理装置１００を側面から見た場合の、フロントドア部８０の開閉を説明する図である。図４（ａ）は、フロントドア部８０が閉じた状態（第１の位置）にある場合を示し、図４（ｂ）はフロントドア部８０が開いた状態（第２の位置）にある場合を示す。
【００３４】
図４に示すように、このフロントドア部８０はフロントパネル２に対して閉じた位置である第１の位置と、このフロントパネルに対して開いた位置である第２の位置との間で回転自在に取り付けられている。
【００３５】
開閉検出部１１は、フロントドア部８０が第１の位置にある場合には「閉」状態であることを検出し、第２の位置にある場合には「開」状態であることを検出する。尚、第１の位置と第２の位置の間にある場合にはその開き度合により「閉」「開」のいずれかの状態を検出するように微妙な開き度合に応じて開閉を検出するように構成しても良い。
【００３６】
また、このフロントドア部８０は、ランプ部７０を露出させる孔部８１を有しており、フロントパネル２上に実装されているランプ部７０はこのフロントドア部８０の孔部から露出している（図３、図４）。従って、フロントドア部８０が閉じている状態（第１の位置）に置いてもランプ部７０の消灯・点灯が視覚的に確認できる。
【００３７】
さて、ステップＳ３０の処理の後は、次に運用管理部１０は、開閉検出部１１の結果からフロントドア部８０が「開」状態にあるか否かを判断する（ステップＳ４０）。即ち、運用管理部１０は開閉検出部１１が「開」を検出してればフロントドア部８０が開いている状態（第２の位置）にあると判断することとなる。
【００３８】
その結果、運用管理部１０は、開閉検出部１１における検出の結果からフロントドア部８０が「開」でないと判断した場合には（ステップＳ４０のＮｏ）、次にランプ部７０のランプを消灯させる（ステップＳ５０）。即ち、運用管理部１０はランプ制御部１３にランプ部７０のランプを消灯させる。この命令によりランプ制御部１３は、ランプ部７０のランプを消灯することとなる。
【００３９】
一方、運用管理部１０は、開閉検出部１１における検出の結果からフロントドア部８０が「開」であると判断した場合には（ステップＳ４０のＹｅｓ）、次にランプ部７０のランプを点灯させる（ステップＳ１００）。即ち、運用管理部１０はランプ制御部１３にランプ部７０のランプを点灯させる。この命令によりランプ制御部１３は、ランプ部７０のランプを点灯することとなる。
【００４０】
上述の制御をすることにより、本情報処理装置１００は、フロントドア部８０が閉じた状態（第１の位置）にある場合には、図４（ａ）に示すようにランプ部７０は消灯し、フロントドア部８０が開いた状態（第２の位置）にある場合には、図４（ｂ）に示すようにランプ部７０が点灯することとなる。
【００４１】
従って、情報処理装置１００においてシステム障害が発生していない場合には、フロントドア部８０の開閉に連動してランプ部７０が点灯・消灯することとなり、このランプ部７０をユニットＩＤランプとして活用することが可能となる。これによりランプ部７０の点灯・消灯の専用スイッチをフロントパネル上に別途設ける必要が無くなる。従って、フロントパネルの領域が狭い場合にもユニットＩＤランプを実装できる。
【００４２】
さて、ステップＳ２０において、運用管理部１０は、障害検出部１２の結果から情報処理装置１００に障害が発生していると判断した場合には（ステップＳ２０のＹｅｓ）、次にランプ部７０のランプを点灯させる（ステップＳ６０）。即ち、運用管理部１０はランプ制御部１３にランプ部７０のランプを点灯させる。この命令によりランプ制御部１３は、ランプ部７０のランプを点灯することとなる。
【００４３】
次に、運用管理部１０は、ステップＳ１０と同様な処理である情報処理装置１００のシステム状態を監視する（ステップＳ７０）。そして、運用管理部１０は、ステップＳ２０と同様の判断の元に情報処理装置１００に障害が発生しているか否かを判断する（ステップＳ８０）。この判断により、障害が復旧されたか否かを判断できることとなる。
【００４４】
その結果、運用管理部１０は、障害検出部１２の結果から情報処理装置１００に障害が発生しており、障害が復旧していないと判断した場合には（ステップＳ８０のＮｏ）、ステップＳ７０に戻り、障害が復旧されるまで上述した処理を繰り返すこととなる。
【００４５】
一方、運用管理部１０は、障害検出部１２の結果から情報処理装置１００に障害を検出しなくなり、障害が復旧したと判断した場合には（ステップＳ８０のＹｅｓ）、次に、運用管理部１０は、開閉検出部１１の結果からフロントドア部８０が「閉」状態にあるか否かを判断する（ステップＳ９０）。即ち、運用管理部１０は障害検出部１２が「閉」を検出してればフロントドア部８０が閉じている状態（第１の位置）にあると判断することとなる。
【００４６】
その結果、運用管理部１０は、開閉検出部１１における検出の結果からフロントドア部８０が「閉」でないと判断した場合には（ステップＳ９０のＮｏ）、ステップＳ７０に戻り、上述した処理を継続することとなる。
【００４７】
一方、運用管理部１０は、開閉検出部１１における検出の結果からフロントドア部８０が「閉」であると判断した場合には（ステップＳ９０のＹｅｓ）、次にランプ部７０を消灯させる（ステップＳ５０）。即ち、運用管理部１０はランプ制御部１３にランプ部７０のランプを消灯させる。この命令によりランプ制御部１３は、ランプ部７０のランプを消灯することとなる。
【００４８】
上述のステップＳ６０〜ステップＳ９０の制御をすることにより、情報処理装置１００にシステム障害が発生した場合には、フロントドア部８０の開閉とは無関係にランプ部７０が点灯する。即ち、フロントドア部８０が閉じた状態（第１の位置）にある場合（図４（ａ））であっても、開いた状態（第２の位置）にある場合（図４の（ｂ））であっても、ランプ部７０が点灯することとなる。従って、ランプ部７０は障害発生を知らせる障害発生ランプとしての役割を果たす。ここで、上述したユニットＩＤランプとの区別を付ける為に、ステップＳ６０の点灯の方法をステップＳ１００の点灯の方法と異なる点灯方法に代えても良い。即ち、ステップＳ６０でのランプ部７０の点灯を点滅により点灯するようにしたり、あるいはランプの色を変えて点灯させたりするような構成にしても良い。
【００４９】
一方、ステップＳ６０〜ステップＳ９０の処理では一旦障害が発生したとしても、その後、障害が復旧した際には、フロントドア部８０が閉じた状態（第１の位置）にある場合（図４（ａ））には、ランプ部７０は消灯することとなる（ステップＳ９０のＹｅｓ）。
【００５０】
従って、上述してきた制御プログラムαの制御を繰り返すことで、ランプ部７０は、障害発生ランプからユニットＩＤランプとしての役割に戻り、再度フロントドア部８０の開閉に連動してランプ部７０を点灯・消灯することが可能となる。
【００５１】
従って、障害発生時専用のランプを別途設ける必要が無くなり、フロントパネルの領域が狭い場合にもユニットＩＤランプを実装できる。
【００５２】
図５は複数の情報処理装置１００をラック５に収めた際の前面（フロント面）側からの見た斜視図を示し、図６は図５におけるラック５が収められた情報処理装置１００を背面（バック面）側からの見た斜視図を示す。
【００５３】
図５に示すように、フロントドア部８０が開けられた情報処理装置１００ｃ，１００ｅ，１００ｊはユニットＩＤランプの役割としてランプ部７０ｃ，７０ｅ，７０ｊが点灯している。これにより、例えば保守点検の際に、ラックの背面に回りこんだ際に、図６に示すように、どの装置が保守点検の対象であるかを一目瞭然に識別することが可能となる。
【００５４】
また、図５、図６に示した情報処理装置１００ｍはフロントドア部８０が開いていない状態でも、ランプ部７０ｍが点灯しており、障害発生ランプとしての役割を果たしている。更に図５、図６ではランプ部７０ｍはランプ部７０ｃ，７０ｅ，７０ｊと異なり点滅している。従って、ランプ部７０ｃ，７０ｅ，７０ｊ，７０ｍの内、ランプ部７０ｍを有する情報処理装置１００ｍにおいてはシステム障害が発生していることが一目で識別することが可能となる。
【００５５】
以上説明したように、障害が発生していない場合には、フロントドア部８０の開閉に連動してランプ部７０が点灯・消灯することとなり、このランプ部７０をユニットＩＤランプとして活用することが可能となる。これによりランプ部７０の専用スイッチをフロントパネル上に別途設ける必要が無くなる。また、ランプ部７０は、障害発生ランプとしての役割も兼用しており、障害発生ランプを別途設ける必要が無くなる。従って、フロントパネルの領域が狭い場合にもユニットＩＤランプを実装できる。
【図面の簡単な説明】
【００５６】
【図１】本発明の実施の形態である情報処理装置のブロック図。
【図２】プログラムαの処理の流れを示したフローチャート。
【図３】情報処理装置１００の一例の概観を示した図。
【図４】情報処理装置１００を側面から見た場合の、フロントドア部８０の開閉を説明する図。
【図５】複数の情報処理装置１００をラック５に収めた際の前面（フロント面）側からの見た斜視図。
【図６】図５におけるラック５が収められた情報処理装置１００を背面（バック面）側からの見た斜視図。
【符号の説明】
【００５７】
１  筐体
２  フロントパネル
５  ラック
１０  運用管理部
１１  開閉検出部
１２  障害検出部
１３  ランプ制御部
２０  ネットワークインタフェース部
３０  制御部
４０  記憶部
５０  入力部
６０  出力部
７０  ランプ部
８０  フロントドア部
８１  孔部
１００  情報処理装置
Ａ  ネットワーク網
Ｂ１，Ｂ２，Ｂ３，Ｂ４  バス
α  制御プログラム
β  ＯＳ
【図１】
2006268460.tif 000003
【図２】
2006268460.tif 000004
【図３】
2006268460.tif 000005
【図４】
2006268460.tif 000006
【図５】
2006268460.tif 000007
【図６】
2006268460.tif 000008